(57)【要約】【目的】  強度が高く、耐久性に優れ、清掃用ハンドルの先端に挿入されたモップ状清掃部材を自在に湾曲させて使用でき、しかも長期に渡り使用できる清掃用具を提供することを目的としている。【構成】  清掃用ハンドル２の先端に少なくとも可撓性チューブ３が設けられ、この可撓性チューブ３がモップ状清掃部材４の内部に挿入されている。この可撓性チューブ３の所要部に蛇腹部を形成し、この蛇腹部により湾曲自在に構成した清掃用具１である。この清掃用具１は、可撓性チューブ３を直立状態にしてモップ状清掃部材４を直立させると、ベットＢの下の狭い隙間Ｓや机の下側等を隅々まで清掃できる。更に、可撓性チューブ３を蛇腹部で湾曲させてモップ状清掃部材４を湾曲させると、床面Ｕやテーブル上面Ｊ等にモップ状清掃部材４を押し付けながら隅々まで清掃できる。【選択図】  図４
2005237591.tif 000002
【特許請求の範囲】
【請求項１】
清掃用ハンドルの先端に少なくとも可撓性チューブが設けられ、この可撓性チューブがモップ状清掃部材の内部に挿入されていることを特徴とする清掃用具。
【請求項２】
前記可撓性チューブの外周面に凹凸部を形成している請求項１に記載の清掃用具。
【請求項３】
前記可撓性チューブの内周面に凹凸部を形成している請求項１に記載の清掃用具。
【請求項４】
前記可撓性チューブが直立状チューブである請求項１、２又は３に記載の清掃用具。
【請求項５】
前記可撓性チューブの所要部に蛇腹部を形成し、この蛇腹部により湾曲自在に構成した請求項１又は４に記載の清掃用具。
【請求項６】
前記可撓性チューブを前記清掃用ハンドルと別部材とし、可撓性チューブの前端と後端が開放されている請求項１〜５のいずれかに記載の清掃用具。
【請求項７】
前記可撓性チューブの前端が閉鎖されている請求項１〜５のいずれかに記載の清掃用具。
【請求項８】
前記可撓性チューブは、前記清掃用ハンドルと一体に形成されている請求項１〜５又は７のいずれかに記載の清掃用具。
【発明の詳細な説明】
【技術分野】
【０００１】
本発明は、清掃用具に関し、更に詳細には、清掃用ハンドルの先端に、モップ状清掃部材に挿入される可撓性チューブが設けられ、モップ状清掃部材を湾曲自在にして清掃可能な清掃用具に関する。
【背景技術】
【０００２】
特開平８−２１５１２４号公報により開示される従来技術（特許文献１）を図１７、図１８に示す。この従来技術の伸縮式モップは、モップ本体１０１における払拭布用取付部１０４が、扁平な２つの棒状部材１０４ａ，１０４ｂにより伸縮自在なるように構成されている。払拭布１０２の筒状部１０９内に取付部１０４を挿入することにより、払拭布１０２を、取付部１０４の伸縮長さに応じた長さに伸縮させた状態で装着可能にしている。
【０００３】
基端側部材である棒状部材１０４ａの基端側には柄１０５が取り付けられている。また、先端側部材である棒状部材１０４ｂの先端側には、払拭布１０２に係止される係止手段１０６が付設されている。更に、先端側の棒状部材１０４ｂをゴムや合成樹脂等の弾性ある軟質素材で形成している。
【０００４】
この従来技術の伸縮式モップは、払拭布１０２を取り付けるための取付部１０４を伸縮自在としたので、この取付部１０４を伸長させた場合には家具の間などの細い隙間の清掃に適したモップとすることができる。また、取付部１０４を短縮した場合には、払拭布１０２をしわ寄せ状態にして見掛けの厚さを増大させて弾力性のある使用感に勝れたモップとすることができる。          
【０００５】
【特許文献１】特開平８−２１５１２４号
【発明の開示】
【発明が解決しようとする課題】
【０００６】
ところが、上記従来の伸縮式モップでは、取付部１０４の先端側の棒状部材１０４ｂがゴムや合成樹脂等の弾性ある軟質素材で形成されているので、次に述べる問題があった。即ち、先端側の棒状部材１０４ｂを伸縮させたり湾曲させたりする動作を多数回続けているうちに、この棒状部材１０４ｂに亀裂が生じたり、折れ曲がって元の状態に戻らないようになるという問題があった。このため、耐久性に劣り、長期の使用に耐えられないという問題があった。
【０００７】
本発明は、上記問題に鑑みてなされたものであり、モップを可撓自在に保持すると共に、多数回の湾曲動作を反復しても折れ曲がったり亀裂が入ることがなく耐久性に優れた清掃用具を提供することを目的とする。ストレート状態で室内の壁面やベットや机の下などの狭い隙間でも容易に清掃でき、湾曲状態にすれば筒状の間隙やはね掃き等の清掃動作を行える清掃用具を提供する。
【課題を解決するための手段】
【０００８】
本発明は、上記課題を解決するために提案されたものであって、本発明の第１の形態は、清掃用ハンドルの先端に少なくとも可撓性チューブが設けられ、この可撓性チューブがモップ状清掃部材の内部に挿入されている清掃用具である。
【０００９】
本発明の第２の形態は、前記可撓性チューブの外周面に凹凸部を形成している清掃用具である。
【００１０】
本発明の第３の形態は、前記可撓性チューブの内周面に凹凸部を形成している清掃用具である。
【００１１】
本発明の第４の形態は、前記可撓性チューブが直立状チューブである清掃用具である。
【００１２】
本発明の第５の形態は、前記可撓性チューブの所要部に蛇腹部を形成し、この蛇腹部により湾曲自在に構成した清掃用具である。
【００１３】
本発明の第６の形態は、前記可撓性チューブを前記清掃用ハンドルと別部材とし、可撓性チューブの前端と後端が開放されている清掃用具である。
【００１４】
本発明の第７の形態は、前記可撓性チューブの前端が閉鎖されている清掃用具である。
【００１５】
本発明の第８の形態は、前記可撓性チューブは、前記清掃用ハンドルと一体に形成されている清掃用具である。
【発明の効果】
【００１６】
本発明の第１の形態によれば、清掃用ハンドルの先端に設けられた可撓性チューブがモップ状清掃部材の内部に挿入されているので、モップ状清掃部材をストレート状にした状態でも、湾曲状にした状態でも清掃できる。湾曲状態で清掃しても、モップ状清掃部材の内部の可撓性チューブが折れることなく湾曲した状態となり、可撓性チューブが破損したり亀裂が入ったりすることがないので、耐久性に優れた清掃用具を提供できる。
【００１７】
湾曲状態で清掃できる機能を有するから、清掃用ハンドルを持って床やテーブルなどをモップ状清掃部材を湾曲させて清掃でき、清掃が行い易い。また、可撓性チューブを直立状（ストレート状）にして清掃することにより、室内の壁部やベットや机等の狭い隙間でも容易に清掃できる。
【００１８】
本発明の第２の形態によれば、可撓性チューブをモップ状清掃部材の内部に挿入している状態では、可撓性チューブの外周面の凹凸部の凸部がモップ状清掃部材の内部の基材に食い込んでモップ状清掃部材に対して可撓性チューブを抜止めできる。このため、清掃中にモップ状清掃部材から可撓性チューブが不用意に抜けることがなくて清掃作業が行い易い。  
【００１９】
本発明の第３の形態によれば、可撓性チューブの内部に清掃用ハンドルを挿入している場合には、この可撓性チューブ内周面の凹凸部の凸部が清掃用ハンドルの先端に食い込んで、清掃用ハンドルに対して可撓性チューブを抜け止めできる。このため、清掃中に清掃用ハンドルから可撓性チューブが抜けることがなくて清掃作業を行い易い。
【００２０】
本発明の第４の形態によれば、可撓性チューブが直立状チューブであるので、この可撓性チューブをモップ状清掃部材に抜き差しするときに、この作業が行い易い。また、狭い場所でも、簡単に可撓性チューブをモップ状清掃部材に挿脱できる。更に、普通の状態では、可撓性チューブがモップ状清掃部材に直立した状態で挿入されているので、ベッドや机の下などの狭い隙間でも容易に差し込んで清掃できる。
【００２１】
本発明の第５の形態によれば、可撓性チューブの所要部に蛇腹部が形成されているので、この蛇腹部を容易に湾曲できる。即ち、蛇腹部を湾曲すると、この蛇腹部の内側では蛇腹間隔が狭くなり、外側では蛇腹間隔が広がるので、折れることなく自然に湾曲される。蛇腹部が自然に湾曲される性質を有するから、可撓性チューブが挿入されたモップ状清掃部材を湾曲した状態で使用できる。折れることなく湾曲するから、湾曲動作を多数回繰り返しても破損せず耐久性が高い。このため、床や机の上、更には筒状の隙間部分の内部でもモップ状清掃部材を略Ｊ字状あるいは略Ｕ字状に湾曲させて容易に清掃できる。また、蛇腹部は容易に直立状に復帰できるので、モップ状清掃部材を直立した状態で狭い間隙も容易に清掃できる。
【００２２】
本発明の第６の形態によれば、可撓性チューブの前端と後端が開放されているので、可撓性チューブの前端からでも叉後端からでも清掃用ハンドルを差し込んで清掃できる。このため、可撓性チューブの磨耗を軽減できて、この可撓性チューブを長期に渡り使用することができ２倍の耐久性を有することができる。
【００２３】
本発明の第７の形態によれば、可撓性チューブの前端が閉鎖されているので、可撓性チューブをモップ状清掃部材に挿入して清掃するときに、モップ状清掃部材の内部に入り込んだゴミ等が可撓性チューブ内に入り込むことを防げる。このため、可撓性チューブの内部は清浄であり、ゴミを取り除く作業を必要としない。
【００２４】
本発明の第８の形態によれば、可撓性チューブが清掃用ハンドルと一体に形成されているので、清掃用具全体の強度を大きくすることができる。また、可撓性チューブに清掃用ハンドルを挿入する作業を行う必要がなく作業能率を向上できる。
【発明を実施するための最良の形態】
【００２５】
以下、本発明に係る清掃用具の実施形態を、添付する図１〜図１６に基づいて詳細に説明する。
【００２６】
図１は本発明に係る清掃用具の第１実施形態の外観を示す斜視図である。図１に示すように、この清掃用具１は清掃用ハンドル２の先端に、後述する蛇腹状の可撓性チューブ３が設けられている。この可撓性チューブ３は、モップ状清掃部材４の内部に挿入される。このモップ状清掃部材４は、紐状に編み込まれた複数のパイル５とこのパイル５が取り付けられた袋状の布地からなり、可撓性チューブ３は基体６の内部に挿入されるように構成されている。
【００２７】
図２は同清掃用具の一部破断した分解斜視図である。図２に示すように、清掃用ハンドル２の先端に、上記蛇腹状の可撓性チューブ３が挿入されて装着されている。この可撓性チューブ３は、上記したように、モップ状清掃部材４の袋状の布地からなる基体６の内部に挿入される。この可撓性チューブ３は全長に渡り蛇腹状に形成されている。従って、この可撓性チューブ３は蛇腹状に形成されているので、湾曲しても折れ曲がらないようになっている。
【００２８】
図３は同清掃用具の可撓性チューブとモップ状清掃部材を略Ｊ字状に湾曲した状態の斜視図である。図３に示すように、モップ状清掃部材４を床等に押し付けると、略Ｊ字状に湾曲される。即ち、モップ状清掃部材４の内部に挿入されている蛇腹状の可撓性チューブ３が湾曲自在となっているために、この可撓性チューブ３が床等への押付力により撓んでモップ状清掃部材４も湾曲される。
【００２９】
図４はモップ状清掃部材を断面にした図３に示す清掃用具の正面断面図である。図４に示すように、モップ状清掃部材４の袋状の布地からなる基体６内部に挿入された蛇腹状の可撓性チューブ３は、押付力によって略Ｊ字状に湾曲されている。可撓性チューブ３はその湾曲部分の内側蛇腹間隔が狭くなり、外側蛇腹間隔が広がるので、折れることなく自然に略Ｊ字状に湾曲される。
【００３０】
この蛇腹状の可撓性チューブ３の湾曲によって、モップ状清掃部材４の基体６が略Ｊ字状に湾曲され、この状態で、人が清掃用ハンドル２を持って床等を清掃することができる。
【００３１】
モップ状清掃部材４下側の複数のパイル５が床等に押し付けられ、この複数のパイル５に床等の表面に有るゴミ等が付着する。即ち、この複数のパイル５を床面等へ摩擦させると、床面のゴミ等が繊維に絡み付いて付着する。このゴミ等がパイル５に付着することにより、床等の表面が綺麗に清掃される。
【００３２】
図５は同清掃用具の可撓性チューブとモップ状清掃部材を略Ｕ字状に湾曲させて筒状体内を清掃する際の正面断面図である。図５に示すように、モップ状清掃部材４を筒状体Ｔ内に挿入すると、蛇腹状の可撓性チューブ３は略Ｕ字状に湾曲される。この可撓性チューブ３の湾曲によってモップ状清掃部材４の基体６も略Ｕ字形に湾曲される。この可撓性チューブ３の略Ｕ字状の湾曲部分では、その内側蛇腹間隔が狭くなり、外側蛇腹間隔が広がるので、折れることなく自然に湾曲される。このように、モップ状清掃部材４が略Ｕ字形に湾曲されることによって、この湾曲された状態で被清掃部材である筒状体Ｔの内部を隅々までモップ状清掃部材４で清掃することができる。
【００３３】
図６は第２実施形態の清掃用具の部分断面分解斜視図である。図６に示すように、この第２実施形態の清掃用具１Ａは、清掃用ハンドル２の先端に装着される可撓性チューブ３Ａがストレート状に形成されている。このストレート状の可撓性チューブ３Ａは、図６の状態から、モッブ状清掃部材４の袋状の基体６内に挿入される。
【００３４】
この清掃用具１Ａによれば、可撓性チューブ３Ａがストレート状に形成されているので、この可撓性チューブ３Ａのモップ状清掃部材４への挿脱をスムーズに且つ容易に行うことができる利点がある。
【００３５】
図７は第３実施形態の清掃用具の部分断面分解斜視図である。図７に示すように、この第３実施形態の清掃用具１Ｂは、清掃用ハンドル２の先端に挿入される可撓性チューブ３Ｂの内周面が全長に渡りストレート状に形成され、外周面に全長に渡り凹凸部３ａが形成されている。この可撓性チューブ３Ｂは、モップ状清掃部材４の袋状の基体６内に挿入される。
【００３６】
この清掃用具１Ｂによれば、可撓性チューブ３Ｂを基体６内に挿入した際に、外周面の凹凸部３ａの凸部が袋状の布からなる基体６の内面に食い込んで抜け止めされる。従って、可撓性チューブ３Ｂを基体６内に挿入した後に、この可撓性チューブ３Ｂが不用意に抜けることを防ぐことができ、清掃を行い易い。
【００３７】
図８は第４実施形態の清掃用具の部分断面分解斜視図である。図８に示すように、この第４実施形態の清掃用具１Ｃは、清掃用ハンドル２の先端に挿入される可撓性チューブ３Ｃの外周面が全長に渡りストレート状に形成され、内周面に全長に渡り凹凸部３ｂが形成されている。この清掃用具１Ｂによれば、可撓性チューブ３Ｃに清掃用ハンドル２を挿入した際に、凹凸部３ｂの凸部が清掃用ハンドル２の表面に食い込んで抜け止めされる。
【００３８】
従って、清掃用ハンドル２から可撓性チューブ３Ｃが不用意に抜けることを防ぐことができ、清掃を行い易い。また、可撓性チューブ３Ｃの外周面が全長に渡りストレート状に形成されているので、この可撓性チューブ３Ｃはモップ状清掃部材４の基体６に挿脱し易い。
【００３９】
図９は第５実施形態の清掃用具の部分断面分解斜視図である。図９に示すように、この第５実施形態の清掃用具１Ｄは、可撓性チューブ３Ｄが全長に渡り蛇腹状に形成されている。更に、この可撓性チューブ３Ｄの先端３ｄは閉鎖されている。この可撓性チューブ３Ｄはモップ状清掃部材４の基体６に挿入される。
【００４０】
可撓性チューブ３Ｄの先端３ｄが閉鎖されていることにより、清掃時にゴミ等がこの可撓性チューブ３Ｄの内部に入り込むことを防げる。このため、可撓性チューブ３Ｄ内のゴミを取り除く作業を必要としない。
【００４１】
図１０は第６実施形態の清掃用具の部分断面分解斜視図である。図１０に示すように、この第６実施形態の清掃用具１Ｅは、可撓性チューブ３Ｅが全長に渡り蛇腹状に形成されている。更に、この可撓性チューブ３Ｅは清掃用ハンドル２と別部材とされ、前端と後端が開放されている。従って、可撓性チューブ３Ｅの両端いずれからも清掃用ハンドル２を挿入して挿着できる。
【００４２】
この清掃用具１Ｅによれば、可撓性チューブ３Ｅの前端、後端いずれからも清掃用ハンドル２を挿入できるので、一方側からのみ挿入できるものに比べて可撓性チューブ３Ｅの磨耗を軽減でき２倍の耐久性がある。従って、より一層長期に渡り使用できる。
【００４３】
図１１は第７実施形態の清掃用具の部分断面分解斜視図である。図１１に示すように、この第７実施形態の清掃用具１Ｆは、清掃用ハンドル２Ａと可撓性チューブ３Ｆとが一体に形成されている。更に、この可撓性チューブ３Ｆ部分は蛇腹状に形成されている。
【００４４】
この清掃用具１Ｆによれば、清掃用ハンドル２Ａと可撓性チューブ３Ｆとが一体に形成されているので、耐久性に優れている。また、清掃用ハンドル２Ａを可撓性チューブ３Ｆに挿入しなくてもよいので、手間を省くことができる。
【００４５】
図１２は第８実施形態の清掃用具の一部破断した分解斜視図である。図１２に示すように、この第８実施形態の清掃用具１Ｇは、可撓性チューブ３Ｇの基端側が適宜長さ蛇腹状に形成されている。更に、可撓性チューブ３Ｇの先端側が適宜寸法ストレート状に形成されている。即ち、この第８実施形態では、可撓性チューブ３Ｇの所要部分に蛇腹を形成し、他の部分はストレート状である点で他の実施形態と異なっている。換言すれば、可撓性チューブ３Ｇの湾曲部に少なくとも蛇腹が形成されておればよいことになる。
【００４６】
この清掃用具１Ｇによれば、可撓性チューブ３Ｇを湾曲させることができるとともに、先端側のストレート状部３ｃでモップ状清掃部材４の先端側を水平又は垂直に保つことができる。清掃するときに、モップ状清掃部材４の先端側が曲がらないので、清掃作業を行い易い。
【００４７】
図１３は本発明に係る清掃用具で床を清掃している状態を示す模式図である。尚、この清掃用具１は第１実施形態から第８実施形態の清掃用具の全てから選ばれた代表例を含むものであり、可撓性チューブ３は第１実施形態から第８実施形態の可撓性チューブの全てを代表するものである。これは、後述する図１４、図１５、図１６の模式図で説明する場合も同様である。
【００４８】
図１３に示すように、清掃用具１で床面Ｕを清掃する際は、清掃用ハンドル２を持ってモップ状清掃部材４を床面Ｕに押し付ける。すると、モップ状清掃部材４の内部に挿入されている可撓性チューブ３が適宜箇所で略Ｊ字状に湾曲することによりモップ状清掃部材４も適宜箇所で略Ｊ字状に湾曲される。この状態で床面Ｕを清掃すると、湾曲されたモップ状清掃部材４で清掃するので、清掃作業が行い易い。また、モップ状清掃部材４の先端で床面Ｕの隅々まで清掃できる。
【００４９】
図１４は同清掃用具で室内の壁部を清掃している状態を示す模式図である。  図１４に示すように、本発明の清掃用具１で室内の壁部Ｋを清掃するには、清掃用ハンドル２を先端側が上向きになるように保持し、先端のモップ状清掃部材４を垂直状態にして壁部Ｋに押し付けながら清掃する。このとき、モップ状清掃部材４の内部に挿入されている可撓性チューブ３も垂直状態となっている。従って、室内の壁部Ｋを清掃し易く、壁部Ｋの隅々まで清掃できる。
【００５０】
図１５は同清掃用具でテーブル上面を清掃している状態を示す模式図である。
図１５に示すように、本発明の清掃用具１でテーブル上面Ｊを清掃するには、清掃用ハンドル２を短めに保持し、モップ状清掃部材４をテーブル上面Ｊに押し付けて清掃する。このとき、モップ状清掃部材４は略Ｊ字状に湾曲した状態となる。即ち、モップ状清掃部材４の内部に挿入された可撓性チューブ３が押付力によって略Ｊ字状に湾曲されることにより、モップ状清掃部材４が略Ｊ字状に湾曲してこの状態で清掃する。従って、テーブル上面Ｊや机の表面等も容易に清掃できる。
【００５１】
図１６は同清掃用具で室内のベットの下の狭い隙間を清掃している状態を示す模式図である。図１６に示すように、本発明の清掃用具１でベットＢの下の狭い隙間Ｓを清掃するには、ベットＢの下の隙間Ｓにモップ状清掃部材４を略水平向きに差し込んで清掃する。この時、モップ状清掃部材４は水平向きとなり、このモップ状清掃部材４内の可撓性チューブ３が水平向きとなっている。従って、本発明の清掃用具１でベッドＢの下の狭い隙間Ｓや机の下の隙間でも容易に清掃できる。
【００５２】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００５３】
この発明に係る清掃用具は、家庭用又は業務用に使用できる。例えば、家庭用としては、室内の床面、壁部、テーブル上面、机の表面、ベットの下の狭い隙間や机の下側等を清掃するのに適している。更には、筒状に形成された箇所も清掃できる。業務用としては、各種会社の事務所、店舗内、学校の教室等を清掃するのに適している。また、レンタル製品としても応用することができる。この場合、定期的にモップ状清掃部材のみを取り替えて使用することができる。
【図面の簡単な説明】
【００５４】
【図１】本発明に係る清掃用具の第１実施形態の外観を示す斜視図である。
【図２】同清掃用具の一部破断した分解斜視図である。
【図３】同清掃用具の可撓性チューブとモップ状清掃部材を略Ｊ字状に湾曲した状態の斜視図である。
【図４】モップ状清掃部材を断面にした図３に示す清掃用具の正面断面図である。
【図５】同清掃用具の可撓性チューブとモップ状清掃部材を略Ｕ字状に湾曲させて筒状部内を清掃する際の正面断面図である。
【図６】第２実施形態の清掃用具の部分断面分解斜視図である。
【図７】第３実施形態の清掃用具の部分断面分解斜視図である。
【図８】第４実施形態の清掃用具の部分断面分解斜視図である。
【図９】第５実施形態の清掃用具の部分断面分解斜視図である。
【図１０】第６実施形態の清掃用具の部分断面分解斜視図である。
【図１１】第７実施形態の清掃用具の部分断面分解斜視図である。
【図１２】第８実施形態の清掃用具の一部破断した分解斜視図である。
【図１３】本発明に係る清掃用具で床を清掃している状態を示す模式図である。
【図１４】同清掃用具で室内の壁部を清掃している状態を示す模式図である。
【図１５】同清掃用具でテーブルの上面を清掃している状態を示す模式図である。
【図１６】同清掃用具で室内のベットの下の狭い隙間を清掃している状態を示す模式図である。
【図１７】従来の伸縮式モップの平面図である。
【図１８】図１７におけるＡ−Ａ線断面図である。
【符号の説明】
【００５５】
Ｔ      筒状体
Ｕ      床面
Ｋ      室内の壁部
Ｊ      テーブル上面
Ｂ      ベッド
Ｓ      狭い隙間
１      清掃用具
１Ａ    清掃用具
１Ｂ    清掃用具
１Ｃ    清掃用具
１Ｄ    清掃用具
１Ｅ    清掃用具
１Ｆ    清掃用具
１Ｇ    清掃用具
２      清掃用ハンドル
２Ａ    清掃用ハンドル
３      蛇腹状の可撓性チューブ
３Ａ    ストレート状の可撓性チューブ
３Ｂ    可撓性チューブ
３Ｃ    可撓性チューブ
３Ｄ    可撓性チューブ
３Ｅ    可撓性チューブ
３Ｆ    可撓性チューブ
３Ｇ    可撓性チューブ
３ａ    凹凸部
３ｂ    凹凸部
３ｃ    ストレート状部
３ｄ    先端
４      モップ状清掃部材
５      パイル
６      基体
【図１】
2005237591.tif 000003
【図２】
2005237591.tif 000004
【図３】
2005237591.tif 000005
【図４】
2005237591.tif 000006
【図５】
2005237591.tif 000007
【図６】
2005237591.tif 000008
【図７】
2005237591.tif 000009
【図８】
2005237591.tif 000010
【図９】
2005237591.tif 000011
【図１０】
2005237591.tif 000012
【図１１】
2005237591.tif 000013
【図１２】
2005237591.tif 000014
【図１３】
2005237591.tif 000015
【図１４】
2005237591.tif 000016
【図１５】
2005237591.tif 000017
【図１６】
2005237591.tif 000018
【図１７】
2005237591.tif 000019
【図１８】
2005237591.tif 000020